(57)【要約】【課題】漏話特性の劣化を抑制可能な多ポート光スイッチを提供すること。【解決手段】本発明の多ポート光スイッチは、４つのクロスバスイッチで構成される構造を単位構造とし、行及び列の方向に前記クロスバスイッチを２つずつ配した状態の前記単位構造が、ｋを１以上の整数として２ｋ行２ｋ列で格子状に配され、行及び列の方向で隣合う前記単位構造同士が、一の前記単位構造と、この一の前記単位構造と隣合う他の前記単位構造との中で最隣接する２つの前記クロスバスイッチのそれぞれから環外に配設された２本の前記配線同士で二重結線されるとともに、前記二重結線に用いられていない２つの前記クロスバスイッチから環外に配設された２本の前記配線のうち、１本ずつを結線し、残余の１本の前記配線が、前記配線光信号の入力ポート配線及び出力ポート配線のいずれかとされる等の構造を有することを特徴とする。【選択図】図５
2015148697.tif 000002
【特許請求の範囲】
【請求項１】
４つのクロスバスイッチを四角形の４つの角の位置に配するとともに、辺に沿って１本の配線で環状に結線して閉じ、前記クロスバスイッチのそれぞれから２本の配線が環外に配設されたものと見立てることが可能な構造を単位構造とし、
行及び列の方向に前記クロスバスイッチを２つずつ配した状態の前記単位構造が、ｋを１以上の整数として２ｋ行２ｋ列で格子状に配され、
行及び列の方向で隣合う前記単位構造同士が、一の前記単位構造と、この一の前記単位構造と隣合う他の前記単位構造との中で最隣接する２つの前記クロスバスイッチのそれぞれから環外に配設された２本の前記配線同士で二重結線されるとともに、
行及び列の方向で隣合う前記単位構造同士が、前記二重結線に用いられていない前記クロスバスイッチであり、一の前記単位構造と、この一の前記単位構造と隣合う他の前記単位構造との中で最隣接する２つの前記クロスバスイッチから環外に配設された２本の前記配線のうち、１本ずつで結線され、
残余の１本の前記配線が、前記配線光信号の入力ポート配線及び出力ポート配線のいずれかとされるとともに、
前記入力ポート配線及び前記出力ポート配線のいずれかが配される前記クロスバスイッチのそれぞれが、前記入力ポート配線を有するものと前記出力ポート配線を有するものとを交互に隣接させて配される一の構造、並びに、前記一の構造における前記クロスバスイッチの各結線関係と前記クロスバスイッチに配される前記入力ポート配線及び前記出力ポート配線の配線種とが維持されたまま前記配線及前記クロスバスイッチの配置が変更された他の構造のいずれかの構造を有することを特徴とする多ポート光スイッチ。
【発明の詳細な説明】
【技術分野】
【０００１】
本発明は、光通信分野において、光クロスコネクト等のノード装置として利用可能な多ポート光スイッチに関する。
【背景技術】
【０００２】
Ｎ本の入線とＮ本の出線の間の１対１の光接続を装置内で切り替えながら行う光クロスコネクト等のノード装置として、クロスバスイッチを要素スイッチとしたマトリクススイッチであり、クロスポイント型、或いはクロスポイントトポロジーと呼ばれる多ポート光スイッチ（以下、「クロスポイント型スイッチ」と称する）が用いられている（非特許文献１参照）。
【０００３】
前記クロスポイント型スイッチの構成を図面を用いて説明する。図１は、前記クロスポイント型スイッチの構成を説明する説明図である。
クロスポイント型スイッチ１０は、Ｎ（＝４）のＮ行Ｎ列のマトリクス状配線と、前記配線の各ノード位置に配されるＮ２（４２＝１６）個のクロスバスイッチａ〜ｐとで構成され、前記配線を一定間隔で周期的に規則配列させた格子状とし、その再外配線を四角形に見立てたときに、前記四角形の一辺に配されるＮ（＝４）個のクロスバスイッチａ，ｃ，ｆ，ｊのそれぞれに光信号の入力ポート１，２，３，４が形成され、前記一辺と交わる他の一辺に配されるＮ（＝４）個のクロスバスイッチｊ，ｍ，ｏ，ｐのそれぞれに前記光信号の出力ポート１’，２’，３’，４’が形成されて構成される。
【０００４】
ここで、個々のクロスバスイッチａ〜ｐは、２入力に対して２出力の要素スイッチとされ、入力電圧のオンオフにより、クロス状態とバー状態とを切り替え可能とされる。図２（ａ）は、クロスバスイッチのクロス状態を示す説明図であり、図２（ｂ）は、クロスバスイッチのバー状態を示す説明図である。これら図２（ａ），（ｂ）に示すように、クロスバスイッチａ〜ｐは、２入力（Ｘ，Ｙ）に対して２出力（Ｘ’，Ｙ’）の要素スイッチとされ、Ｘ−Ｙ’及びＹ−Ｘ’の入出力関係とするクロス状態と、Ｘ−Ｘ’及びＹ−Ｙ’の入出力関係とするバー状態とを切り替え可能とされる。
【０００５】
このクロスポイント型スイッチ１０では、前記クロス状態と前記バー状態とを適宜切り替えることで、入力ポート１〜４と出力ポート１’〜４’との間で、１対１の光接続状態（以下、「クロスコネクション状態」と称する）をＮ！（４！＝２４）通りとすることができ、光通信における信号通信経路を多枝化させて、信号通信の混雑状況を緩和させることができる。
【０００６】
しかしながら、クロスバスイッチａ〜ｐでは、クロスバスイッチの非理想性に由来する漏話が起こる問題がある。このような漏話を図３（ａ）、（ｂ）を用いて説明する。図３（ａ）は、クロス状態で起こる漏話を示す説明図であり、図３（ｂ）は、バー状態で起こる漏話を示す説明図である。各図中、点線が漏話を示している。これら図３（ａ）、（ｂ）に示すように、クロスバスイッチａ〜ｐでは、クロスバスイッチの非理想性に由来して、前記クロス状態でバー端への漏話が起こり、前記バー状態でクロス端への漏話が起こる。
したがって、クロスポイント型スイッチ１０を含め、クロスバスイッチを用いる多ポート光スイッチでは、出力段で少なからず漏話特性の劣化が起こるが、クロスポイント型スイッチ１０では、出力段での漏話がクロスバスイッチ単体の漏話と略同レベルの大きな漏話となることから、漏話特性の改善に向けた要望が存在する。
【先行技術文献】
【非特許文献】
【０００７】
【非特許文献１】光スイッチング技術入門  第２版（２００１年）、石川  宏監修、行末  健一編著、電気通信協会、第５章、１０４ページ
【発明の概要】
【発明が解決しようとする課題】
【０００８】
本発明は、従来技術における前記諸問題を解決し、漏話特性の劣化を抑制可能な多ポート光スイッチを提供することを目的とする。
【課題を解決するための手段】
【０００９】
前記課題を解決するための手段としては、以下の通りである。即ち、
＜１＞  ４つのクロスバスイッチを四角形の４つの角の位置に配するとともに、辺に沿って１本の配線で環状に結線して閉じ、前記クロスバスイッチのそれぞれから２本の配線が環外に配設されたものと見立てることが可能な構造を単位構造とし、行及び列の方向に前記クロスバスイッチを２つずつ配した状態の前記単位構造が、ｋを１以上の整数として２ｋ行２ｋ列で格子状に配され、行及び列の方向で隣合う前記単位構造同士が、一の前記単位構造と、この一の前記単位構造と隣合う他の前記単位構造との中で最隣接する２つの前記クロスバスイッチのそれぞれから環外に配設された２本の前記配線同士で二重結線されるとともに、行及び列の方向で隣合う前記単位構造同士が、前記二重結線に用いられていない前記クロスバスイッチであり、一の前記単位構造と、この一の前記単位構造と隣合う他の前記単位構造との中で最隣接する２つの前記クロスバスイッチから環外に配設された２本の前記配線のうち、１本ずつで結線され、残余の１本の前記配線が、前記配線光信号の入力ポート配線及び出力ポート配線のいずれかとされるとともに、前記入力ポート配線及び前記出力ポート配線のいずれかが配される前記クロスバスイッチのそれぞれが、前記入力ポート配線を有するものと前記出力ポート配線を有するものとを交互に隣接させて配される一の構造、並びに、前記一の構造における前記クロスバスイッチの各結線関係と前記クロスバスイッチに配される前記入力ポート配線及び前記出力ポート配線の配線種とが維持されたまま前記配線及前記クロスバスイッチの配置が変更された他の構造のいずれかの構造を有することを特徴とする多ポート光スイッチ。
【発明の効果】
【００１０】
本発明によれば、従来技術における前記諸問題を解決することができ、漏話特性の劣化を抑制可能な多ポート光スイッチを提供することができる。
【図面の簡単な説明】
【００１１】
【図１】クロスポイント型スイッチの構成を説明する説明図である。
【図２（ａ）】クロスバスイッチのクロス状態を説明する説明図である。
【図２（ｂ）】クロスバスイッチのバー状態を説明する説明図である。
【図３（ａ）】クロス状態で起こる漏話を示す説明図である。
【図３（ｂ）】バー状態で起こる漏話を示す説明図である。
【図４（ａ）】単位構造を説明する説明図である。
【図４（ｂ）】図４（ａ）に示す単位構造を略記した略記単位構造を示す説明図である。
【図５】４入力４出力の４ｋ正方格子型スイッチの構造を示す説明図である。
【図６】クロスポイント型スイッチの１つのクロスコネクション状態を示す説明図である。
【図７】クロスポイント型スイッチの漏話特性を示す図である。
【図８】４ｋ正方格子型スイッチの１つのクロスコネクション状態を示す説明図である。
【図９】４ｋ正方格子型スイッチの漏話特性を示す図である。
【図１０】８入力８出力の４ｋ正方格子型スイッチの構造を示す説明図である。
【図１１】４入力４出力の４ｋ正方格子型スイッチの他の構造を示す説明図である。
【発明を実施するための形態】
【００１２】
本発明に係る多ポート光スイッチの一実施形態を図面を参照しつつ、具体的に説明する。
先ず、単位構造について説明する。図４（ａ）は、前記単位構造を説明する説明図である。該図４（ａ）に示すように、単位構造５０は、４つのクロスバスイッチ５０ａ〜５０ｄを四角形の４つの角の位置に配するとともに、辺に沿って１本の配線で環状に結線して閉じ、クロスバスイッチ５０ａ〜５０ｄのそれぞれから２本の配線が環外に配設されたものと見立てることが可能な構造とされる。
なお、図４（ｂ）は、図４（ａ）に示す単位構造を略記した略記単位構造を示す説明図であり、以下では、図面の簡略化のため、単位構造５０を図４（ｂ）に示すように略記して示すことがある。
【００１３】
次いで、前記多ポート光スイッチの全体構造を図５を参照しつつ、説明する。ここでは、前記多ポート光スイッチを「４ｋ正方格子型スイッチ」と称する。図５は、４入力４出力の４ｋ正方格子型スイッチの構造を示す説明図である。
該図５に示すように、４ｋ正方格子型スイッチ１００は、行及び列の方向に前記クロスバスイッチを２つずつ配した状態の前記単位構造が、ｋを１以上の整数として２ｋ行２ｋ列で格子状に配されて構成可能とされ、ここでは、ｋ＝１として、４つの単位構造が２行２列で格子状に配される。なお、図５中、前記クロスバスイッチを略記しているが、２本の配線の出線元（前記単位構造中の上下左右の各位置）に前記クロスバスイッチが配され、これらのクロスバスイッチは、１つの前記単位構造中、行及び列の方向に２つずつ配されている。
この４ｋ正方格子型スイッチ１００では、４入力４出力の多ポート光スイッチとして、図１に示すクロスポイント型スイッチ１０と同数（１６個）の前記クロスバスイッチを用い、同数（２４通り）の前記クロスコネクション状態が設定可能とされるが、前記各クロスバスイッチの結線関係と、光信号の入出力ポートの設定を変更することで、漏話特性を改善する。
【００１４】
先ず、４ｋ正方格子型スイッチ１００では、図５に示すように、行及び列の方向で隣合う前記単位構造同士が、一の前記単位構造と、この一の前記単位構造と隣合う他の前記単位構造との中で最隣接する２つの前記クロスバスイッチのそれぞれから環外に配設された２本の前記配線同士で二重結線される。
即ち、図５中、１，４’の入出力ポート配線が配される前記単位構造中の１つの前記クロスバスイッチ（前記単位構造中の右の位置）が、行方向で隣接する４、３’の入出力ポート配線が配される前記単位構造の中で、最隣接する前記クロスバスイッチと２本の前記配線同士で二重結線され、また、１，４’の入出力ポート配線が配される前記単位構造中の１つの前記クロスバスイッチ（前記単位構造中の下の位置）が、列方向で隣接する２、１’の入出力ポート配線が配される前記単位構造の中で、最隣接する前記クロスバスイッチと２本の前記配線同士で二重結線される。他の２，１’、３，２’、４，３’の入出力ポート配線が配線される前記単位構造も、同様に二重結線される。
【００１５】
次いで、行及び列の方向で隣合う前記単位構造同士が、前記二重結線に用いられていない前記クロスバスイッチであり、一の前記単位構造と、この一の前記単位構造と隣合う他の前記単位構造との中で最隣接する２つの前記クロスバスイッチから環外に配設された２本の配線のうち、１本ずつで結線される。
即ち、図５中、１，４’の入出力ポート配線が配される前記単位構造中、前記二重結線に用いられていない１つの前記クロスバスイッチ（前記単位構造中の上の位置）と、行方向で隣接する４、３’の入出力ポート配線が配される前記単位構造の中で、最隣接する前記クロスバスイッチとのそれぞれから環外に配設された２本の配線のうち、１本ずつが結線され、また、１，４’の入出力ポート配線が配される前記単位構造中、前記二重結線に用いられていない１つの前記クロスバスイッチ（前記単位構造中の左の位置）と、列方向で隣接する２、１’の入出力ポート配線が配される前記単位構造の中で、最隣接する前記クロスバスイッチとのそれぞれから環外に配設された２本の配線のうち、１本ずつが結線される。他の２，１’、３，２’、４，３’の入出力ポート配線が配線される前記単位構造も、同様に結線される。
【００１６】
前記クロスバスイッチの結線に用いられない、残余の１本の配線は、前記配線光信号の入力ポート配線及び出力ポート配線のいずれかとされ、この入力ポート配線及び出力ポート配線の設定に関し、前記入力ポート配線及び前記出力ポート配線のいずれかが配される前記クロスバスイッチのそれぞれが、前記入力ポート配線を有するものと前記出力ポート配線を有するものとを交互に隣接させて配される。
即ち、前記クロスバスイッチの結線に用いられない残余の１本の配線は、図５に示すように、反時計周りで入力ポート配線１、出力ポート配線１’、入力ポート配線２、出力ポート配線２’、入力ポート配線３、出力ポート配線３’、入力ポート配線４、出力ポート配線４’の順で入出力ポートの役割が設定され、隣接する前記クロスバスイッチ間で、入力ポート配線と出力ポート配線とが交互に隣接するように設定される。
【００１７】
このように構成される４ｋ正方格子型スイッチ１００の漏話特性を、同じく４入力４出力のクロスポイント型スイッチ１０（図１参照）の漏話特性と対比しつつ説明をする。
ここでは、一般的な構成例にしたがって、４ｋ正方格子型スイッチ１００及びクロスポイント型スイッチ１０に用いられる前記クロスバスイッチとして、前記クロス状態で電力を消費せず、前記バー状態で電力を消費する２入力２出力のマッハツェンダー干渉計型スイッチを用い、電力消費が最少となるよう、前記バー状態となる前記クロスバスイッチの数が最少となるように、入力ポート１〜４から出力ポート１’〜４’へのクロスコネクション状態を設定する。なお、前記クロスコネクション状態の数は、いずれのスイッチにおいても、４！＝２４通りである。
下記表１に、前記クロスコネクション状態の具体的な設定状況を示す。
【００１８】
【表１】
2015148697.tif 000003
【００１９】
４ｋ正方格子型スイッチ１００が、クロスポイント型スイッチ１０に比べて、漏話特性に優れていることを以下に説明する。
先ず、クロスポイント型スイッチ１０について、クロスコネクション状態番号７の状態を例にとり、漏話特性の計算を次のように行う。
計算では、前記クロスバスイッチが前記クロス状態にあるときのバー端への漏れ、前記バー状態にあるときのクロス端への漏れを、いずれも−２０ｄＢと仮定する。また、入力ポート１，２，３，４の全てから、同じ光電力の信号を入力するものとする。
前掲表１にしたがい、要素スイッチとしての前記クロスバスイッチｄ，ｆ，ｋ，ｍを前記バー状態とし、残りの前記クロスバスイッチを前記クロス状態として、クロスコネクション状態番号７の状態とする。なお、前掲表１中、「クロスポイント型」に表記されるａ〜ｐは、図１に示すクロスポイント型スイッチ１０のクロスバスイッチａ〜ｐに対応する。また、「入力ポート１，２，３，４が接続される出力ポート」の欄は、入力ポート番号の記載順に対応させて、出力ポート番号を記載したものであり、クロスコネクション状態番号７では、入力ポート１に対して出力ポート２’、入力ポート２に対して出力ポート１’、入力ポート３に対して出力ポート４’、入力ポート４に対して出力ポート３’がクロスコネクション状態に設定されることを示している。
【００２０】
この時のクロスコネクション状態を図６を用いて説明する。図６は、クロスポイント型スイッチの１つのクロスコネクション状態を示す説明図である。
図６に示すように、例えば、出力ポート１’は、入力ポート２と接続されるように設定される。この前記クロスバスイッチの前記クロス状態及び前記バー状態の設定にしたがい、意図的に接続した経路を、以下では「主経路」と称する。前記主経路に沿った損失は、単純化のためゼロとする。
一方、入力ポート１と出力ポート１’は、意図的に接続していないが（２’と意図的に接続される）、クロスバスイッチｈでのバー端への漏れによって、入力ポート１から入力される信号が、主経路２−１’に混入し、出力ポート１’に−２０ｄＢの漏話を与える。以後、このような漏話を入出力ポートと関係づけて、経路１−１’の漏話と称する。
経路３−１’の漏話は、クロスバスイッチｆでのクロス端への漏れ、クロスバスイッチｎでのバー端への漏れを経て生じるので、−２０ｄＢ×２＝−４０ｄＢとなる。同様に経路４−１’の漏話は、クロスバスイッチｍ、ｐでの２段の漏れを経たものであるから、−４０ｄＢとなる。
出力ポート１’に生じる漏話は、これら３経路の漏話の和であり、−２０ｄＢの寄与が支配的であることから、出力ポート１’に生じる漏話は−２０ｄＢと求まる。
出力ポート２’については、経路２−２’から−２０ｄＢ（クロスバスイッチｈでの漏れ）、経路３−２’から−４０ｄＢ（クロスバスイッチｆ，ｌでの漏れ）、経路４−２’から−４０ｄＢ（クロスバスイッチｍ，ｏでの漏れ）の寄与があり、出力ポート２’の漏話は、−２０ｄＢと求まる。出力ポート３’，４’についても、同様に運び、いずれの漏話も−２０ｄＢと求まる。
【００２１】
クロスポイント型スイッチ１０の２４通りのクロスコネクション状態（状態番号０〜２３）の各々について、前記計算方法によって計算した出力ポート１’〜４’の漏話をプロットしたものを図７に示す。図７は、クロスポイント型スイッチの漏話特性を示す図である。
図７に示すように、クロスポイント型スイッチ１０では、ほとんど全て（２３状態）のクロスコネクション状態において、前記クロスバスイッチ単体の漏話（−２０ｄＢ）と同レベルの漏話を持つ出力ポートが１つ以上存在することを示している。なお、図７中、−１７（または−１５）ｄＢといった漏話レベルが現れるのは、出力ポートの漏話に、−２０ｄＢの漏話を与える経路が２つ（または３つ）含まれていることによる。なお、図中の矢印は、前述のクロスコネクション状態番号７における漏話を指し示している。
【００２２】
次に、対応する計算を、４ｋ正方格子型スイッチ１００についても行う。クロスコネクション状態７番では、上掲表１にしたがい、要素スイッチとしてのクロスバスイッチｃ，ｅ，ｆ，ｈ，ｉ．ｊ．ｏ，ｎを前記バー状態とし、残りの前記クロスバスイッチを前記クロス状態として、クロスコネクション状態番号７の状態とする。前掲表１中、「４ｋ正方格子型」に表記されるａ〜ｐは、図８に示す４ｋ正方格子型スイッチ１００のクロスバスイッチａ〜ｐに対応する。図８は、４ｋ正方格子型スイッチの１つのクロスコネクション状態を示す説明図であり、クロスコネクション状態７番の状態を示している。また、図８に示す４ｋ正方格子型スイッチ１００は、図５に示す４ｋ正方格子型スイッチ１００と同じ構成であるが、前記各クロスバスイッチ間の前記クロスコネクション状態を示すために、個々の前記クロスバスイッチを記載して示している。
【００２３】
該図８に示すように、前掲表１中のクロスコネクション状態７番の４ｋ正方格子型スイッチ１００のクロスコネクション状態において、経路１−１’の漏話は、クロスバスイッチｄ，ｅでの漏話を経て−４０ｄＢ、経路３−１’の漏話は、クロスバスイッチｋ，ｈを経て−４０ｄＢ、経路４−１’の漏話は、クロスバスイッチｎ，ｅを経て−４０ｄＢとなり、出力ポート１’での漏話は、これら３成分の和として、−３５ｄＢとなる。
また、出力ポート２’、３’、４’の漏話についても、同様に運び、いずれも−３５ｄＢと求まる。
【００２４】
４ｋ正方格子型スイッチ１００の２４通りのクロスコネクション状態（状態番号０〜２３）の各々について、前記計算方法によって計算した出力ポート１’〜４’の漏話をプロットしたものを図９に示す。図９は、４ｋ正方格子型スイッチの漏話特性を示す図である。
図９に示すように、４ｋ正方格子型スイッチでは、前記クロスバスイッチ単体の漏話（−２０ｄＢ）レベルと同程度の漏話を示す出力ポートが１つ以上あるクロスコネクション状態が１２通りに留まり、クロスポイント型スイッチ１０の場合と比べて、漏話特性が大きく改善されている。なお、図中の矢印は、前述のクロスコネクション状態番号７における漏話を指し示している。
【００２５】
４ｋ正方格子型スイッチ１００において漏話特性が改善されるのは、出力ポート１’〜４’に出力される漏話レベルを、経路の漏話としてみたときに、前記クロスバスイッチ単体で起こる漏話レベルと同等の漏話レベル（−２０ｄＢ）から複数の前記クロスバスイッチを経て起こる漏話レベル（例えば、−４０ｄＢ）に抑えることができているためである。
漏話が前記クロスバスイッチ単体で起こる漏話レベルと同等の漏話レベル（−２０ｄＢ）のまま入力ポートから出力ポートに出力されるクロスコネクション状態は、主経路の相互漏洩が起きる機会が多い場合に増加し、機会が少ない場合に減少する。
クロスコネクション状態番号７の状態を例にとると、クロスポイント型スイッチ１０では、主経路１−２’と主経路２−１’とがクロスバスイッチｈの中で出会い、主経路３−４’と主経路４−３’とがクロスバスイッチｊの中で出会う（図６参照）が、４ｋ正方格子型スイッチ１００では、いずれの主経路も他の主経路と、前記クロスバスイッチの中で出会わないため、低漏話となる（図８参照）。
即ち、４ｋ正方格子型スイッチ１００では、クロスコネクション状態を設定する際、主経路の相互漏洩が起きる機会がないように前記各クロスバスイッチを結線し、前記入出力ポートの設定を行うことで、漏話特性の劣化を抑制することを可能としている。
【００２６】
以上では、４入力４出力の４ｋ正方格子型スイッチ１００を中心に説明をしたが、本発明の多ポート光スイッチは、ｋ＝２として、８入力８出力の多ポート光スイッチなどとすることができ、ｋを１以上の整数として、４ｋ入力４ｋ出力の多ポート光スイッチとして一般化させることができる。
図１０に８入力８出力の４ｋ正方格子型スイッチの構成例を示す。図１０は、８入力８出力の４ｋ正方格子型スイッチの構造を示す説明図である。
図１０に示すように、４ｋ正方格子型スイッチ２００は、８入力８出力の多ポート光スイッチとされ、８！通りのクロスコネクション状態をとることができる。
各クロスコネクション状態では、これまでに説明した前記各クロスバスイッチの結線状態及び前記入出力ポートの設定に基づき、４ｋ正方格子型スイッチ１００の各クロスコネクション状態と同様、漏話特性の劣化を抑制することが可能とされる。
【００２７】
また、以上では、本発明の多ポート光スイッチのモデル例として、前記単位構造を正方格子型に配した構造についての説明したが、前記構造における前記クロスバスイッチの各結線関係と前記クロスバスイッチに配される前記入力ポート配線及び前記出力ポート配線の配線種とが維持される限り、主経路の相互漏洩が起きる機会を制限して漏話特性の劣化を抑制することが可能であることから、これらが維持されたまま前記配線及前記クロスバスイッチの配置が変更された構造としてもよい。
図１１に４ｋ正方格子型スイッチ１００の変形例を示す。図１１は、４入力４出力の４ｋ正方格子型スイッチの他の構造を示す説明図である。
図１１に示す４ｋ正方格子型スイッチ３００では、４ｋ正方格子型スイッチ１００に対し、前記配線及前記単位構造（前記クロスバスイッチ）を配置する位置が変更されているが、前記クロスバスイッチの各結線関係と前記クロスバスイッチに配される前記入力ポート配線及び前記出力ポート配線の配線種とが維持され、主経路の相互漏洩が起きる機会を制限して漏話特性の劣化を抑制することが可能である。
【符号の説明】
【００２８】
１０      クロスポイント型スイッチ
５０      単位構造
５０ａ〜５０ｄ    クロスバスイッチ
１００，２００，３００    ４ｋ正方格子型スイッチ
【図１】
2015148697.tif 000004
【図２（ａ）】
2015148697.tif 000005
【図２（ｂ）】
2015148697.tif 000006
【図３（ａ）】
2015148697.tif 000007
【図３（ｂ）】
2015148697.tif 000008
【図４（ａ）】
2015148697.tif 000009
【図４（ｂ）】
2015148697.tif 000010
【図５】
2015148697.tif 000011
【図６】
2015148697.tif 000012
【図７】
2015148697.tif 000013
【図８】
2015148697.tif 000014
【図９】
2015148697.tif 000015
【図１０】
2015148697.tif 000016
【図１１】
2015148697.tif 000017